(57)【要約】【課題】下から見上げたとき集水器とソケットとの間に隙間がなく連続的に見え、水や埃が溜まって見栄えが悪くなることを防ぎ、耐候性や耐久性に優れた集水器と竪樋との接続構造を提供する。【解決手段】集水器Ａにソケット３を介して竪樋４を接続する構造であって、該集水器Ａは、集水器本体１と集水器本体１の底面略中央部に穿たれた落とし口１２に垂設される垂下筒体２とからなり、上記底面内側１１全体は落とし口１２に向けて水勾配を有するテーパ面とされ、上記集水器本体の底面外側１１ａは平坦面とされ、上記垂下筒体２はソケット３に嵌挿されるとともに、上記底面外側１１ａの平坦面にソケット３の上面３１が隙間なく取り付けられてなる集水器と竪樋との接続構造。【選択図】図１
2009013708.tif 000002
【特許請求の範囲】
【請求項１】
集水器にソケットを介して竪樋を接続する構造であって、該集水器は、集水器本体と集水器本体の底面略中央部に穿たれた落とし口に垂設される垂下筒体とからなり、上記底面内側全体は落とし口に向けて水勾配を有するテーパ面とされ、上記集水器本体の底面外側は平坦面とされ、上記垂下筒体はソケットに嵌挿されるとともに、上記底面外側の平坦面にソケットの上面が隙間なく取り付けられてなる集水器と竪樋との接続構造。
【請求項２】
上記垂下筒体の外周面には、ソケットを弾性係止するための係止突起が周設された請求項１に記載の集水器と竪樋との接続構造。
【請求項３】
上記ソケットと竪樋とがエルボによって連結された請求項１に記載の集水器と竪樋との接続構造。
【請求項４】
上記竪樋が円樋である請求項１に記載の集水器と竪樋との接続構造。
【請求項５】
上記竪樋が角樋である請求項１に記載の集水器と竪樋との接続構造。
【発明の詳細な説明】
【技術分野】
【０００１】
本発明は、集水器と竪樋とを接続する構造に関する。さらに詳しくは、軒樋の水平接続部あるいは軒樋を略直角に突き合わせて接続するコーナー接続部に設けられ、雨水を集水する集水器と竪樋との接続構造に関する。
【背景技術】
【０００２】
通常、上記集水器は、集水器本体とこの集水器本体の底部に垂設され、雨水を竪樋に流下させる垂下筒体とからなり、この垂下筒体を経た雨水は竪樋を流下して排水溝に集められ排水される。上記集水器本体と垂下筒体とからなる集水器は金型により一体的に成形して製造されるため、垂下筒体も一定サイズのものが大量生産される。一方、竪樋も角樋、断面略円形の円樋等種々の形状、サイズのものがあるため、口径や形状の異なる上記垂下筒体と竪樋とは異形管を接続するソケット部と呼ばれる中間継手を介して接続される。
【０００３】
例えば、下記特許文献１には、上記ソケット部が内側ソケットと外側ソケットとからなり、内側ソケットの上端は集水器本体の底面に設けられた落とし口に取り付けられ、外側ソケットは断面形状が角形、または、円形の筒体とされるとともに、外側ソケットが内側ソケットに差し込まれ、外側ソケットの係止突起が内側ソケットの上端の上端部筒体の切り欠き部に嵌め込まれ、内側ソケットの内側鍔部で外側ソケットの係止突起が受け止められ、内側ソケットと外側ソケットとが係止されていることを特徴とする樋集水器が開示されている。
【０００４】
一方、上記ソケットを介装する公知の集水器と竪樋との接続構造としては、例えば、本願図７に分解断面図で示す接続構造が知られている。図７に示すように、上記接続構造は集水器Ｂとソケット３と竪樋４とから構成され、竪樋４はソケット３を介して集水器Ｂに接続される。上記集水器Ｂは、集水器本体１と垂下筒体２とからなり、集水器本体１の底面内側１１は雨水が落とし口１２に流れ込み易いように水勾配を有するテーパ面とされ、上記垂下筒体２の外周面には、ソケット３を弾性的に係止するための係止突起２１が周設されている。
【０００５】
筒体であるソケット３は、その上面３１に上記垂下筒体２を嵌挿するための挿通孔３１１が穿たれている。
【０００６】
図８は、上記ソケット３を介して竪樋４を上記集水器Ｂに接続した状態を示す断面図である。図８に示されるように、集水器本体１の底面内側１１の略中央部に穿たれた落とし口１２に垂設された垂下筒体２は、上記挿通孔３１１を経てソケット３に弾性的に嵌合され、さらに、上記ソケット３の外周面に竪樋４が外嵌され、このようにして集水器Ｂと竪樋４とは接続される。
【０００７】
しかしながら、図８に示すように、集水器本体１の底面内側１１はテーパ面とされ、肉厚も均一に成形されるため、底面外側もテーパ面となり、このテーパ面とソケット３の上面３１との間に隙間Ｓが生じる。この隙間Ｓは、新築時に施主が見上げて検査するとき、接続不良と誤解されることが多く、また、水や埃が溜まり、見た目も悪くなるという問題がある。
【特許文献１】特開平１１−２２９５７４号公報（第１〜３頁、第１図）
【発明の開示】
【発明が解決しようとする課題】
【０００８】
本発明は、上記した問題を解決して、下から見たとき、隙間が見えず、また、この隙間に水や埃が溜まって見栄えが悪くなることを防ぎ、耐候性や耐久性に優れ、構造の簡単な集水器と竪樋との接続構造を提供することを、その課題とする。
【課題を解決するための手段】
【０００９】
上記課題を解決するために、本発明においては、つぎのような技術的手段を講じている。すなわち、請求項１に記載の発明によれば、集水器にソケットを介して竪樋を接続する構造であって、該集水器は、集水器本体と集水器本体の底面略中央部に穿たれた落とし口に垂設される垂下筒体とからなり、上記底面内側全体は落とし口に向けて水勾配を有するテーパ面とされ、上記集水器本体の底面外側は平坦面とされ、上記垂下筒体はソケットに嵌挿されるとともに、上記底面外側の平坦面にソケットの上面が隙間なく取り付けられてなる集水器と竪樋との接続構造が提供される。
【００１０】
上記集水器の材質としては、とくに限定されるものではなく、例えば、硬質塩化ビニル樹脂、ポリエチレン、ポリプロピレン、ＡＢＳ樹脂、ポリカーボネート等の汎用的な合成樹脂が用いられる。中でも、材質的、価格的な見地から、硬質塩化ビニル樹脂が好ましく用いられる。また、ソケットや竪樋も上記集水器と同じ材質とすることが好ましく、集水器、ソケット、竪樋とも、例えば、同質の硬質塩化ビニル樹脂とすることにより、スムースに、容易に接続することができる。
【００１１】
請求項２に記載の集水器と竪樋との接続構造は、請求項１に記載の発明に加えて、上記垂下筒体の外周面には、ソケットを弾性係止するための係止突起が周設される。この係止突起は複数個設けることが好ましい。
【００１２】
請求項３に記載の集水器と竪樋との接続構造は、請求項１に記載の発明に加えて、上記ソケットと竪樋とがエルボによって連結される。
【００１３】
請求項４に記載の集水器と竪樋との接続構造は、請求項１に記載の発明に加えて、上記竪樋が円樋とされる。
【００１４】
請求項５に記載の集水器と竪樋との接続構造は、請求項１に記載の発明に加えて、上記竪樋が角樋とされる。
【発明の効果】
【００１５】
請求項１に記載の発明にかかる集水器と竪樋との接続構造は上記のとおりであり、該集水器は、集水器本体の底面略中央部に穿たれた落とし口に垂設される垂下筒体を含んでなり、上記底面の内側全体は落とし口に向けて水勾配を有するテーパ面とされ、上記底部の肉厚を不均一として底面外側は平坦面とされているため、上記垂下筒体をソケットに嵌挿したとき、上記底面外側の平坦面とソケットの上面とを隙間なく取り付けることができる。
【００１６】
そして、下から見上げたとき、集水器本体の底面外側とソケットの上面とが連続して見えるため、見栄えよく竪樋が接続される。また、隙間がないため、水や埃が溜まって接続部位の劣化が進行することを防ぎ、耐候性や耐久性に優れた集水器と竪樋との接続構造を提供することができる。
【００１７】
請求項２に記載の集水器と竪樋との接続構造は上記のとおりであり、請求項１の集水器と竪樋との接続構造の有する効果に加え、上記垂下筒体の外周面には、ソケットを弾性係止するための係止突起が周設されているため、長期に亘って垂下筒体が外れることなく、また、強風等の外部からの力によっても外れることなく、しっかりと竪樋を接続することができる。
【００１８】
請求項３に記載の集水器と竪樋との接続構造は上記のとおりであり、請求項１の集水器と竪樋との接続構造の有する効果に加え、上記ソケットと竪樋とをエルボによって連結することにより、通常、軒先に設けられる集水器からの雨水を軒下に導き、駆体に取り付けられた竪樋にスムースに流すことができる。
【００１９】
請求項４に記載の集水器と竪樋との接続構造は上記のとおりであり、請求項１の集水器と竪樋との接続構造の有する効果に加え、ソケットを円筒体とすることにより、竪樋として円樋を用い、家屋の外観に合わせてデザイン性よく集水器と竪樋とを接続することができる。
【００２０】
請求項５に記載の集水器と竪樋との接続構造は上記のとおりであり、請求項１の集水器と竪樋との接続構造の有する効果に加え、ソケットを角筒体とすることにより、竪樋として角樋を用い、家屋の外観に合わせてデザイン性よく集水器と竪樋とを接続することができる。
【発明を実施するための最良の形態】
【００２１】
以下、本発明について図面を参照して詳細に説明する。図１は、本発明にかかる集水器と竪樋との接続構造を示す分解断面図である。図１に示すように、上記接続構造は集水器Ａとソケット３と竪樋４とから構成され、竪樋４はソケット３を介して集水器Ａに接続される。上記集水器Ａは、集水器本体１と、その底面略中央部に穿たれた落とし口１２に垂設される垂下筒体２とからなり、集水器本体１の底面内側１１はその全体が落とし口１２に向けて水勾配を有するテーパ面とされている。
【００２２】
一方、集水器本体１の底部は肉厚が不均一に成形され、底面内側１１がテーパ面とされているのに対し外側１１ａは平坦面とされ、上記垂下筒体２をソケット３の上面３１に穿たれた挿通孔３１１に弾性的に嵌挿したとき、上記平坦な底面外側１１ａとソケット３の上面３１との間に隙間を生じることなく取り付けられる。また、垂下筒体２の外周面に周設された係止突起２１がソケット３を弾性的にしっかりと係止する。
【００２３】
図２は、上記ソケット３を介して竪樋４を上記集水器Ａに接続した状態を示す断面図である。図２に示されているように、上記落とし口１２に垂設された垂下筒体２は、挿通孔３１１を経てソケット３に嵌挿し、係止突起２１によってしっかりと弾性係止されるとともに、上記平坦な底面外側１１ａとソケット３の上面３１とは隙間が生じることなくぴったりと取り付けられる。上記ソケット３の外周面に竪樋４が外嵌され、このようにして集水器Ａと竪樋４とはしっかりと見栄えよく接続される。
【００２４】
図３は、図２に示す実施形態において、集水器本体１の平坦な底面外側１１ａの外周端面の角を取り、底面外側１１ａの平坦部に傾斜面１１ｂを連接した改良例を示す断面図である。このようにすることにより、平坦な底面外側１１ａに傾斜面１１ｂが連続するため、集水器本体１の底部の肉厚は略均一となり、ソケット３と外観的に一体的に見え、さらに見栄えよく、集水器Ａとソケット３とを連結することができる。
【００２５】
図４は、竪樋４として円樋を用いるときのソケット３の形態を示す斜視図である。図５は、竪樋４として角樋を用いるときのソケット３の形態を示す斜視図である。図４、図５に示すように、ソケット３の形態を、円樋用、角樋用とすることにより、本発明にかかる集水器と竪樋との接続構造を円樋、角樋いずれの場合にも適用することができる。
【００２６】
図６は、上記集水器Ａにエルボ５を介して、円樋を接続した状態を示す側面図である。図６に示すように、集水器Ａの底面外側１１ａとソケット３の上面３１との間には隙間がなくぴったりと接続され、下から見上げたとき、見栄えよくエルボ５を介して竪樋４が接続される。そして、軒樋６に流れ込んだ雨水は、集水器Ａに集水され、エルボ５を経て、竪樋４に排出される。
【００２７】
なお、本実施形態においては、竪樋４として円樋を用いた例を示したが、角樋を用いても同様な効果が得られる。このように本発明は設計変更自在であり、特許請求の範囲を逸脱しない限り、本発明の技術的範囲に属する。
【図面の簡単な説明】
【００２８】
【図１】本発明にかかる集水器と竪樋との接続構造を示す分解断面図である。
【図２】本発明にかかる集水器と竪樋との接続構造を示す断面図である。
【図３】図２に示す集水器と竪樋との接続構造の改良例を示す断面図である。
【図４】円筒体のソケットを示す斜視図である。
【図５】角筒体のソケットを示す斜視図である。
【図６】本発明にかかる集水器にエルボを介して円樋を接続した状態を示す側面図である。
【図７】公知の集水器と竪樋との接続構造を示す分解断面図である。
【図８】公知の集水器と竪樋との接続構造を示す断面図である。
【符号の説明】
【００２９】
Ａ          本発明にかかる集水器
Ｂ          公知の集水器
Ｓ          隙間
１          集水器本体
１１        底面内側
１１ａ      底面外側
１１ｂ      傾斜面
１２        落とし口
２          垂下筒体
２１        係止突起
３          ソケット
３１        上面
３１１      挿通孔
４          竪樋
５          エルボ
６          軒樋
【図１】
2009013708.tif 000003
【図２】
2009013708.tif 000004
【図３】
2009013708.tif 000005
【図４】
2009013708.tif 000006
【図５】
2009013708.tif 000007
【図６】
2009013708.tif 000008
【図７】
2009013708.tif 000009
【図８】
2009013708.tif 000010